(57)【要約】  本発明の貨幣処理機は、金種別収納庫と、出金部に向かって貨幣を搬送する貨幣搬送手段と、金種別収納庫の貨幣に対し貨幣搬送手段による搬送を開始させる搬送開始手段と、を備え、出金指示を受けるとともに、前記金種別収納庫に収納されている貨幣のうち、出金すべき量だけ前記出金部に搬送させる出金処理を行うものであって、出金不許可の貨幣については、前記搬送が完遂されないようにする出金制限処理を行うものであり、出金処理は、出金指示に応じた量の貨幣に対し搬送を開始させる第１ステップと、第１ステップの完了後、出金制限処理による出金の不足分を補充するように、金種別収納庫から出金部に貨幣を搬送する第２ステップを含むものとする。これにより、出金不可である貨幣の出金を回避し、出金指示に応じた額の貨幣を過不足なく出金させることが可能であるとともに、出金処理をより迅速に行うことが可能となる。
2008152685.tif 000002
【特許請求の範囲】
【請求項１】
貨幣を処理する貨幣処理機であって、
複数の収納庫を有し、各々の収納庫に金種別に貨幣を収納する金種別収納庫と、
所定の出金部に向かって貨幣を搬送する貨幣搬送手段と、
前記金種別収納庫に収納されている貨幣に対し、前記貨幣搬送手段による搬送を開始させる搬送開始手段と、を備え、
前記金種別収納庫に収納されている貨幣のうち出金すべき量のものを、前記搬送を通じて前記出金部に到達させることで出金させる、出金処理を少なくとも実行するものであり、
前記搬送がなされている状態の各貨幣に対して、出金制限処理を実行する出金制限部を更に備えており、
該出金制限処理は、
所定条件に基づいて前記出金の許否を判定するとともに、該出金が許されない貨幣については、前記搬送が完遂されないようにすることで該出金を阻止する処理であり、
前記出金処理は、
前記出金すべき量の貨幣に対して、前記搬送開始手段によって前記搬送を開始させる第１ステップと、
該第１ステップの完了後、前記出金制限処理がなされたことによる出金の不足分を補充するように、前記金種別収納庫から前記出金部に貨幣を搬送する第２ステップと、
を含むことを特徴とする貨幣処理機。
【請求項２】
貨幣を処理する貨幣処理機であって、
複数の収納庫を有し、各々の収納庫に金種別に貨幣を収納する金種別収納庫と、
所定の出金部に向かって貨幣を搬送する貨幣搬送手段と、
前記金種別収納庫に収納されている貨幣に対し、前記貨幣搬送手段による搬送を開始させる搬送開始手段と、を備え、
前記金種別収納庫に収納されている貨幣のうち出金すべき量のものを、前記搬送を通じて前記出金部に到達させることで出金させる、出金処理を少なくとも実行するものであり、
前記搬送がなされている状態の各貨幣に対して、出金制限処理を実行する出金制限部を更に備えており、
該出金制限処理は、
所定条件に基づいて前記出金の許否を判定するとともに、該出金が許されない貨幣については、前記搬送が完遂されないようにすることで該出金を阻止する処理であり、
前記出金処理は、
前記出金すべき量の全ての貨幣について前記搬送が開始された後に、
前記出金制限処理がなされたことによる出金の不足分を補充するように、前記金種別収納庫から前記出金部に貨幣を搬送する処理であることを特徴とする貨幣処理機。
【請求項３】
前記貨幣搬送手段は、
前記出金部に貨幣を移動させる流れを生じさせる、搬送ラインを有しており、
前記搬送開始手段は、
貨幣を該搬送ラインの流れに乗せることで、前記搬送を開始させることを特徴とする請求項１または請求項２に記載の貨幣処理機。
【請求項４】
複数金種の貨幣が前記出金処理の対象になっている場合においては、該出金処理として、第１処理と第２処理の何れかを選択して実行可能であり、
該第１処理は、
前記第１ステップおよび第２ステップを含む処理である一方、
該第２処理は、
前記出金すべき量の貨幣のうち、ある金種の貨幣について、前記貨幣搬送手段によって搬送されるようにする第３ステップと、
該金種について、前記出金制限処理がなされたことによる出金の不足分がある場合には、該不足分がなくなるまで、該金種の貨幣の搬送を行う第４ステップと、
該第３ステップと第４ステップの処理を、前記複数金種の各々について順に実行する第５ステップと、を含むことを特徴とする請求項１に記載の貨幣処理機。
【請求項５】
前記第１処理および第２処理の何れを実行させるかについて、ユーザにより選択可能であることを特徴とする請求項４に記載の貨幣処理機。
【請求項６】
外部機器との通信を可能とする通信インターフェースを備え、
前記第１処理と第２処理の何れが選択されるかについては、前記外部機器から送られてきた情報に基づいて定まることを特徴とする請求項４に記載の貨幣処理機。
【請求項７】
前記出金部は、
前記金種別収納庫から搬送されてくる貨幣を金種別に収集する機構を有していることを特徴とする請求項１または請求項２に記載の貨幣処理機。
【請求項８】
前記搬送開始手段は、
前記金種別収納庫に収納されている貨幣を、前記収納庫ごとに予め定められた前記搬送ライン上の搬送開始位置に移動させることで、前記搬送ラインの流れに乗せるものであり、
前記出金処理は、
複数金種の貨幣を前記出金部に搬送させる場合、
前記搬送ラインにおける前記出金部と前記搬送開始位置との距離が長い前記収納庫に収納されている貨幣から順に、前記搬送を開始させることを特徴とする請求項３に記載の貨幣処理機。
【請求項９】
複数の収納庫を有し、各々の収納庫に金種別に貨幣を収納する金種別収納庫を備えた貨幣処理機に対して、前記金種別収納庫に収納されている貨幣のうち、出金すべき量のものを所定の出金部に搬送させる出金処理を行わせるための制御方法であって、
前記金種別収納庫に収納されている貨幣のうち、出金すべき量の全ての貨幣に対して、前記出金部に向かった搬送を開始させる第６ステップと、
該第６ステップにおける搬送がなされている状態の貨幣に対して出金処理の許否を判定し、該出金処理が許されない貨幣については、前記搬送が完遂されないようにする出金制限処理を行う第７ステップと、
前記第６ステップの完了後、前記出金制限処理がなされたことによる出金の不足分を補充するように、前記金種別収納庫から前記出金部に貨幣を搬送させる第８ステップと、
を含むことを特徴とする制御方法。
【発明の詳細な説明】
【技術分野】
【０００１】
本発明は、紙幣等の貨幣に対して出金等の処理を実行する、貨幣処理機に関する。
【背景技術】
【０００２】
金融機関等の窓口などにおいては、例えば特許文献１に示すような、入金処理や出金処理などを実行する貨幣処理機が使用されている。かかる貨幣処理機では、例えば出金処理については、収納庫に収納されている貨幣のうち出金指示に応じた量のものが、順に搬送ラインに載置される。そして搬送ラインの流れに乗って、貨幣が所定の出金口に搬送されることで出金処理が実現される。【０００３】
一方、出金処理においては、出金不可である貨幣（例えば損傷の激しい貨幣など）が収納庫に紛れている可能性も考慮し、このような貨幣が誤って出金されないよう配慮されている。具体的には、収納庫から出金口に向けて搬送中の貨幣に対して出金の許否を判断し、出金不可の貨幣に対しては、出金口とは別の場所に搬送する等の処理（出金制限処理）を行うようにしている。【０００４】
ここで上述の出金制限処理がなされると、その分だけ出金口に到達する貨幣が減ることになるから、そのままでは出金の不足分が発生することになる。そのため、この不足分を補うように追加搬送を実行することで、出金指示に応じた額の出金が達成されるようにしている。なお複数金種の貨幣が出金される場合には、金種ごとに貨幣が纏めて搬送されるのが通常である。そのため、ある金種の搬送中に不足分が生じた場合は、その不足分を追加搬送により補った後に、次金種の搬送が開始される。
【特許文献１】特開２００４−１４５６００号公報
【特許文献２】特開２００３−３０７１７号公報
【発明の開示】
【発明が解決しようとする課題】
【０００５】
上述したような貨幣処理機によれば、出金不可の貨幣が出金されないようにしながらも、出金指示に応じた額の貨幣を過不足なく出金させることが可能となっている。しかし、ある金種の貨幣についての不足分が解消するまで次金種の搬送が開始されない貨幣処理機では、不足分の有無が判別されるまで、次金種の搬送に移行して良いかどうかの判断が困難である。つまり、不足分が有れば現金種の追加搬送が必要であり、不足分が無ければ次金種の搬送が可能であるところ、何れとなるかは、現金種の最後の貨幣についての出金許否の判断がなされるまでは不明である。【０００６】
そのため現金種の最後の貨幣について搬送が開始されてから出金許否の判断がなされるまで（搬送開始の位置から判断処理がなされる位置に移動するまでの間）は、搬送ラインによって何れの貨幣も搬送されない空白期間が発生する。その結果、空白期間が発生しない場合に比べて出金処理が遅延し、出金処理により多くの時間が必要となる。このことは、出金取引の迅速化が求められている現状において深刻な問題となり得る。【０００７】
そこで本発明は上記の問題点に鑑み、出金不可の貨幣が出金されることを回避しながらも、出金指示に応じた額の貨幣を過不足なく出金させることが可能であるとともに、出金処理をより迅速に行うことが可能な貨幣処理機の提供を目的とする。
【課題を解決するための手段】
【０００８】
上記目的を達成するため、本発明に係る貨幣処理機は、貨幣を処理する貨幣処理機であって、複数の収納庫を有し、各々の収納庫に金種別に貨幣を収納する金種別収納庫と、所定の出金部に向かって貨幣を搬送する貨幣搬送手段と、前記金種別収納庫に収納されている貨幣に対し、前記貨幣搬送手段による搬送を開始させる搬送開始手段と、を備え、前記金種別収納庫に収納されている貨幣のうち出金すべき量のものを、前記搬送を通じて前記出金部に到達させることで出金させる、出金処理を少なくとも実行するものであり、前記搬送がなされている状態の各貨幣に対して、出金制限処理を実行する出金制限部を更に備えており、該出金制限処理は、所定条件に基づいて前記出金の許否を判定するとともに、該出金が許されない貨幣については、前記搬送が完遂されないようにすることで該出金を阻止する処理であり、前記出金処理は、前記出金すべき量の貨幣に対して、前記搬送開始手段によって前記搬送を開始させる第１ステップと、該第１ステップの完了後、前記出金制限処理がなされたことによる出金の不足分を補充するように、前記金種別収納庫から前記出金部に貨幣を搬送する第２ステップと、を含む構成（第１の構成）とする。【０００９】
本構成によれば、貨幣搬送手段による貨幣の搬送を通じて、出金部に貨幣を搬送することが可能である。また出金制限部を備えていることにより、出金不可である貨幣が出金されることを回避することが可能である。【００１０】
そして更に出金処理では、上述の第１ステップと第２ステップの処理がなされることにより、ある金種の出金ごとに出金の不足分を確認し、不足分が解消するまでその金種の出金を継続する（他金種の出金に移行しない）内容の出金処理に比べて、処理の迅速化を図ることが可能となる。【００１１】
また本発明に係る貨幣処理機は、貨幣を処理する貨幣処理機であって、複数の収納庫を有し、各々の収納庫に金種別に貨幣を収納する金種別収納庫と、所定の出金部に向かって貨幣を搬送する貨幣搬送手段と、前記金種別収納庫に収納されている貨幣に対し、前記貨幣搬送手段による搬送を開始させる搬送開始手段と、を備え、前記金種別収納庫に収納されている貨幣のうち出金すべき量のものを、前記搬送を通じて前記出金部に到達させることで出金させる、出金処理を少なくとも実行するものであり、前記搬送がなされている状態の各貨幣に対して、出金制限処理を実行する出金制限部を更に備えており、該出金制限処理は、所定条件に基づいて前記出金の許否を判定するとともに、該出金が許されない貨幣については、前記搬送が完遂されないようにすることで該出金を阻止する処理であり、前記出金処理は、前記出金すべき量の全ての貨幣について前記搬送が開始された後に、前記出金制限処理がなされたことによる出金の不足分を補充するように、前記金種別収納庫から前記出金部に貨幣を搬送する処理である構成（第２の構成）とする。【００１２】
本構成によれば、貨幣搬送手段による貨幣の搬送を通じて、出金部に貨幣を搬送することが可能である。また出金制限部を備えていることにより、出金不可である貨幣が出金されることを回避することが可能である。【００１３】
そして更に出金処理では、出金指示に応じた量の貨幣の全てについて搬送が開始されるまでは出金の不足分を補充しないため、ある金種の出金ごとに出金の不足分を確認し、不足分が解消するまでその金種の出金を継続する（他金種の出金に移行しない）内容の出金処理に比べて、処理の迅速化を図ることが可能となる。【００１４】
また上記第１または第２の構成において、前記貨幣搬送手段は、前記出金部に貨幣を移動させる流れを生じさせる、搬送ラインを有しており、前記搬送開始手段は、貨幣を該搬送ラインの流れに乗せることで、前記搬送を開始させる構成（第３の構成）としても良い。【００１５】
本構成によれば、所定の流れを生じさせる（例えばベルトコンベヤ式の）搬送ラインを準備しておくことにより、この搬送ラインの流れに貨幣を乗せるだけで、貨幣の搬送が実現可能である。そのため、該搬送を効率的に実現させることが可能である。【００１６】
また上記第１の構成において、複数金種の貨幣が前記出金処理の対象になっている場合においては、該出金処理として、第１処理と第２処理の何れかを選択して実行可能であり、該第１処理は、前記第１ステップおよび第２ステップを含む処理である一方、該第２処理は、前記出金すべき量の貨幣のうち、ある金種の貨幣について、前記貨幣搬送手段によって搬送されるようにする第３ステップと、該金種について、前記出金制限処理がなされたことによる出金の不足分がある場合には、該不足分がなくなるまで、該金種の貨幣の搬送を行う第４ステップと、該第３ステップと第４ステップの処理を、前記複数金種の各々について順に実行する第５ステップと、を含む構成（第４の構成）としても良い。【００１７】
本構成によれば、第１処理と第２処理の何れかを選択して実行可能であるから、より状況に適応した出金処理を実行させることが容易となる。【００１８】
また上記第４の構成において、前記第１処理および第２処理の何れを実行させるかについて、ユーザにより選択可能である構成（第５の構成）としても良い。本構成によれば、ユーザの判断に応じた出金処理を実行させることが可能となる。【００１９】
また上記第４の構成において、外部機器との通信を可能とする通信インターフェースを備え、前記第１処理と第２処理の何れが選択されるかについては、前記外部機器から送られてきた情報に基づいて定まる構成（第６の構成）としても良い。【００２０】
本構成によれば、通信端末などの外部機器を用いて、第１処理と第２処理の何れかを選択することが可能となる。そのためテラー等にとって、出金処理の制御をより容易に実行することが可能となる。【００２１】
また上記第１または第２の構成において、前記出金部は、前記金種別収納庫から搬送されてくる貨幣を金種別に収集する機構を有している構成（第７の構成）としても良い。【００２２】
本構成によれば、出金される貨幣を金種別に収集することが可能となるため、テラー等にとって、出金された貨幣を金種別に仕分ける作業が省略可能となる。そのため、出金取引の労力削減および時間短縮を図ることが可能となる。【００２３】
また上記第３の構成において、前記搬送開始手段は、前記金種別収納庫に収納されている貨幣を、前記収納庫ごとに予め定められた前記搬送ライン上の搬送開始位置に移動させることで、前記搬送ラインの流れに乗せるものであり、前記出金処理は、複数金種の貨幣を前記出金部に搬送させる場合、前記搬送ラインにおける前記出金部と前記搬送開始位置との距離が長い前記収納庫に収納されている貨幣から順に、前記搬送を開始させる構成（第８の構成）としても良い。【００２４】
本構成によれば、搬送ラインによる貨幣の搬送において、前金種における最終貨幣の搬送に続いて、極力間をあけずに次金種の搬送を開始させることが容易となる。そのため搬送の空白期間が極力抑えられ、出金処理の時間短縮を図ることが容易となる。【００２５】
また、複数の収納庫を有し、各々の収納庫に金種別に貨幣を収納する金種別収納庫を備えた貨幣処理機に対して、前記金種別収納庫に収納されている貨幣のうち、出金すべき量のものを所定の出金部に搬送させる出金処理を行わせるための制御方法であって、
前記金種別収納庫に収納されている貨幣のうち、出金すべき量の全ての貨幣に対して、前記出金部に向かった搬送を開始させる第６ステップと、該第６ステップにおける搬送がなされている状態の貨幣に対して出金処理の許否を判定し、該出金処理が許されない貨幣については、前記搬送が完遂されないようにする出金制限処理を行う第７ステップと、前記第６ステップの完了後、前記出金制限処理がなされたことによる出金の不足分を補充するように、前記金種別収納庫から前記出金部に貨幣を搬送させる第８ステップと、を含む方法（第９の方法）も有用である。
【発明の効果】
【００２６】
本発明に係る貨幣処理機によると、貨幣搬送手段による貨幣の搬送を通じて、出金部に貨幣を搬送することが可能である。また出金制限部を備えていることにより、出金不可である貨幣が出金されることを回避することが可能である。【００２７】
そして更に出金処理では、上述した第１ステップと第２ステップの処理がなされる（或いは、出金指示に応じた量の貨幣の全てについて搬送が開始されるまでは出金の不足分を補充しない）ようになっている。そのため、ある金種の出金ごとに出金の不足分を確認し、不足分が解消するまでその金種の出金を継続する（他金種の出金に移行しない）内容の出金処理に比べて、処理の迅速化を図ることが可能となる。
【図面の簡単な説明】
【００２８】
【図１】本発明の実施形態に係る循環式紙幣入出金機の外観図である。
【図２】本発明の実施形態に係る循環式紙幣入出金機の断面図である。
【図３】循環式紙幣入出金機と上位端末の制御体系を示す説明図である。
【図４】本発明の実施形態に係る出金処理の流れ図である。
【図５】本発明の実施形態に係る出金処理を説明するための説明図である。
【図６】出金紙幣を金種別に収集する機構に係る説明図である。
【図７】従来の紙幣繰出し機構の一例に係る説明図である。
【図８】本発明の実施形態に係る紙幣繰出し機構の説明図である。
【符号の説明】
【００２９】
１１        循環式紙幣入出金機（貨幣処理機）
１２、１３  上位端末（外部機器）
２２        紙幣出金口
２３        紙幣入金口
３２        紙幣出金部
２４        占有ボタン
３４        透明シャッタ
３５        入金紙幣一時保留部
３６        前面扉
４０        上部ユニット側紙幣搬送部
５０        紙幣識別部
８２        リジェクトボックス
８３        金種別紙幣収納部
８５        下部ユニット側紙幣搬送部
２０１        搬送ライン
２０３        記憶部
２０４        制御部
２１０        移動式紙幣収納器
【発明を実施するための最良の形態】
【００３０】
［実施例１］
以下、本発明の一実施の形態について図面を参照しながら説明する。まず本実施形態に係る循環式紙幣入出金機（以下、「紙幣入出金機」と称する）の構成について説明する。【００３１】
図１に、循環式紙幣入出金機（以下、単に「紙幣入出金機」と称する）１１の外観図を、また図２に、同じく紙幣入出金機１１の断面図を、それぞれ示す。この紙幣入出金機１１は、例えば銀行などの金融機関のカウンターに、このカウンターの内側に居る２人のテラー間に設置され、紙幣入出金機１１の左右の一方または両方に居るテラーのいずれからも使用可能となっている。【００３２】
紙幣入出金機１１には通信インターフェースが設けられており、ここには、左右の２人のテラーが操作する上位端末１２，１３がそれぞれ接続されている。これにより、上位端末１２，１３と紙幣収入出金器１１との双方向通信が可能となっている。そしてこれら上位端末１２，１３のいずれか一方のみで紙幣入出金機１１を使用する場合、両方で紙幣入出金機１１を使用する場合の３通りの使用方法が可能である。【００３３】
紙幣入出金機１１は機体１４を有し、この機体１４は、テラーが操作する操作面側を前面１４ａとし、この前面１４ａと反対側つまりカウンターの外側の顧客側を後面１４ｂとした場合、左右方向の横幅が狭く、前後方向の奥行きが長いとともに上下方向の高さが高い縦型に構成されている。【００３４】
また機体１４には、上部ユニット１５および下部ユニット１６が機体１４の前面側からそれぞれ引出可能に設けられている。【００３５】
上部ユニット１５の上面前側および前面上側には、操作部としての上面操作部１７および前面操作部１８がそれぞれ配置され、上面操作部１７は機体１４の上面１４ｃより上方に突出され、この上面操作部１７の後方の機体１４の上面域にカウンターが嵌合する嵌合段部１９が形成され、この嵌合段部１９から機体１４の後面１４ｂまでの幅寸法のカウンターが機体１４の上面１４ｃに嵌合配置され、上面操作部１７の上面がカウンターの上面と略同じぐらいの高さ位置に配置される。【００３６】
上部ユニット１５の上面操作部１７には、すなわち機体１４の上面前側には、前側から順に、前方へ向けて下降傾斜する傾斜面２０および略水平な水平面２１が形成され、この水平面２１には、前側から順に、紙幣を出金する紙幣出金口２２、および紙幣を入金する紙幣入金口２３が形成され、これら紙幣出金口２２および紙幣入金口２３の設置域の左右両側域に左右いずれのテラーで入金処理または出金処理を占有するかを指示する占有指示部としての占有ボタン２４がそれぞれ配置され、紙幣出金口２２および紙幣入金口２３の設置域の一側すなわち左側に紙幣の詰まり箇所や紙幣の残量などを表示する表示部２５が配置されている。各占有ボタン２４は、それぞれランプを内蔵しており、操作されて占有状態となることで点灯表示する。【００３７】
上部ユニット１５の前面操作部１８には、入金処理時に入金紙幣の一時保留後の入金非承認によって返却することになった紙幣を取り出すための開口部２６が形成され、前面扉３６で閉塞される。また、上部ユニット１５を機体１４に収納した状態で施錠解錠するテラー操作用の上部ユニット錠２７が設けられている。そして、この上部ユニット錠２７の解錠によって上部ユニット１５が機体１４から引き出せる。【００３８】
機体１４の前面下部域には扉体２８が開閉可能に取り付けられ、この扉体２８に下部ユニット１６を機体１４に収納して扉体２８を閉じた状態で施錠解錠する金融機関の上位管理者または警備保障会社の社員しか操作できない下部ユニット錠２９が設けられており、扉体２８を解錠して開放することで下部ユニット１６を機体１４内から前方へ引き出し可能としている。なお、下部ユニット錠２９はテラーには解錠できない。【００３９】
また、上部ユニット１５の紙幣出金口２２および紙幣入金口２３の下部には、紙幣を立位姿勢でかつ長方形の紙幣の短手方向を上下方向として収納するボックス状の紙幣出金部３２および紙幣入金部３３がそれぞれ配置されている。紙幣出金口２２には、出金中に紙幣出金口２２を閉じるとともに出金終了時に開く透明シャッタ３４が開閉可能に配置され、出金中においては閉じている透明シャッタ３４を透過して紙幣出金部３２に出金される紙幣を視認可能としている。【００４０】
上部ユニット１５の前面の開口部２６の内側には、すなわち機体１４の前側域には、正規と識別された入金紙幣つまり入金正規紙幣を受収して金種混合状態で一括して一時保留する入金紙幣一時保留部３５が配置されている。この入金紙幣一時保留部３５の前面には閉鎖状態で図示しない電磁ロックによってロックされる透明な前面扉３６が開閉可能に配置され、一時保留紙幣の返却時に電磁ロックが解除され、前面扉３６に設けられている取手３７を持って開口部２６から前方へ開くことにより、開口部２６を通じて入金紙幣一時保留部３５内の入金非承認時の一時保留紙幣を一括取出可能としている。【００４１】
上部ユニット１５内には、紙幣出金部３２、紙幣入金部３３および入金紙幣一時保留部３５に接続されて紙幣を搬送する上部ユニット側紙幣搬送部４０が配設されている。この上部ユニット側紙幣搬送部４０は、紙幣出金部３２に紙幣を搬送する出金搬送路部４１、紙幣入金部３３から繰り出される紙幣を搬送する入金搬送路部４２、出金搬送路部４１の途中に接続されて入金紙幣一時保留部３５との間で紙幣を搬送する保留搬送路部４３、後方から前方へ折り返す略Ｕ字形で上側の一端が入金搬送路部４２に接続された識別搬送路部４４、識別搬送路部４４の上側の一端と下側の他端とを接続するバイパス搬送路部４５、出金搬送路部４１と識別搬送路部４４の上側の一端（パイパス搬送通路４５の上端）との間に接続された保留出金搬送路部４６、保留出金搬送路部４６に接続されて前方へ延設されたリジェクト紙幣搬送路部４７、識別搬送路部４４の下側の他端（パイパス搬送通路４５の下端）に接続されて前方へ延設され前端がリジェクト紙幣搬送路部４７に接続された収納出金搬送路部４８を有している。【００４２】
少なくとも出金搬送路部４１、保留搬送路部４３、識別搬送路部４４、保留出金搬送路部４６および収納出金搬送路部４８は、紙幣の搬送方向を正逆に反転させることができる。各搬送路部４１〜４８間の接続部分には紙幣の進行方向を切り換える切換部材４９がそれぞれ配置されている。識別搬送路部４４には搬送する紙幣の金種、真偽、および正損などを識別する紙幣識別部５０が配設されている。なお「金種」とは貨幣の種類のことであり、「真偽」とは貨幣が偽造されたものであるか否か（本物か偽者か）を示すものであり、「正損」は所定の判断基準（例えば、汚れ度合や損傷の度合に関する基準）に照らして適正な貨幣であるか否かを示すものである。【００４３】
紙幣出金部３２には、出金搬送路部４１で搬送してくる紙幣を立位姿勢で紙幣出金部３２内に１枚ずつ繰り込む羽根ローラ５３、この羽根ローラ５３で繰り込まれる紙幣を立位姿勢で受け入れるとともに紙幣を受け入れる位置を一定にして紙幣の立位姿勢を保ちながら前方へ整列集積するために受け入れた紙幣量に応じて移動するトレイ５４がそれぞれ配設されている。【００４４】
紙幣入金部３３には、入金紙幣を立位姿勢で受け入れるトレイ５７、入金処理の開始時に移動するトレイ５７で押し付けられる立位姿勢で整列集積される紙幣を１枚ずつ下方へ繰り出すキックローラ５８、このキックローラ５８で繰り出される紙幣を挟持して入金搬送路部４２へ送り込むフィードローラ５９とゲートローラ６０がそれぞれ配設されている。【００４５】
入金紙幣一時保留部３５は、その後面上側に保留搬送路部４３が接続され、その後面上側が後方へ向けて下り傾斜されており、入金紙幣一時保留部３５における保留空間部３５ａの周囲を囲む前面扉３６である前面壁６３と後面壁６４との間で入金紙幣一時保留部３５内を昇降する集積台６５上に紙幣の紙面を上下方向に向けて集積する。【００４６】
入金紙幣一時保留部３５には、保留搬送路部４３から入金紙幣一時保留部３５に入金紙幣を１枚ずつ繰り込むとともに入金承認時に一時保留紙幣を保留搬送路部４３へ１枚ずつ繰り出す繰込繰出手段６６が配設されている。この繰込繰出手段６６は、紙幣を載せて昇降する集積台６５と連動して動作するもので、保留搬送路部４３から入金紙幣一時保留部３５に紙幣を繰り込むとともに入金紙幣一時保留部３５から保留搬送路部４３へ紙幣を繰り出す軸方向に複数のフィードローラ６７およびゲートローラ６８、紙幣繰出時に集積台６５上の一時保留紙幣を１枚ずつフィードローラ６７とゲートローラ６８との間に繰り出すキックローラ７２などを備えている。【００４７】
また下部ユニット１６には、機体１４の前側域に、商品券などを収納する着脱ボックス８１が着脱可能に配置されているとともに、リジェクト紙幣を収納するリジェクトボックス８２が固定的に配置されている。【００４８】
さらにリジェクトボックス８２の後部域には、金種別に紙幣を収納する金種別紙幣収納部８３が、図２の（Ａ）〜（Ｅ）で示すように前後方向に並んで固定的に配置されている。これら各金種別紙幣収納部８３の上部には、紙幣の受収および１枚ずつの繰り出しをする紙幣受収繰出部８４が配置され、金種別紙幣収納部８３の上方域に各紙幣受収繰出部８４に接続して紙幣を搬送する下部ユニット側紙幣搬送部８５が配置されている。なお下部ユニット１６の最後部には、図２の（Ｆ）で示すように、必要に応じて金種別紙幣収納部８３を増設可能とする増設スペース８６が形成されている。【００４９】
リジェクトボックス８２には、このリジェクトボックス８２の上部から紙幣を１枚ずつ繰込可能とする繰込手段８７が配置されている。【００５０】
各金種別紙幣収納部８３には、集積台８８が昇降可能に配置され、この集積台８８上に紙幣の紙面を上下方向に向けて集積する。【００５１】
下部ユニット側紙幣搬送部８５は、金種別紙幣収納部８３の上方域に沿って前後方向に配置された主搬送路部８９、この主搬送路部８９から各金種別紙幣収納部８３に繰り込む紙幣を搬送する繰込搬送路部９０、各金種別紙幣収納部８３から繰り出される紙幣を主搬送路部８９に搬送する繰出搬送路部９１を備え、各搬送路部８９〜９１の接続部分には紙幣の進行方向を切り換える切換部材９２がそれぞれ配置されている。下部ユニット側紙幣搬送部８５の主搬送路部８９は、紙幣の搬送方向を正逆に反転させることができる。【００５２】
紙幣受収繰出部８４は、紙幣を載せて昇降する集積台８８と連動して動作するもので、紙幣収納時に繰込搬送路部９０からの紙幣を集積台８８上に繰り込む繰込ローラ９３，９４、紙幣繰出時に集積台８８上の紙幣を１枚ずつ繰り出すキックローラ９５、このキックローラ９５で繰り出される紙幣を繰出搬送路部９１に繰り出す繰出ローラ９６およびゲートローラ９７を備えている。【００５３】
そして、金種別紙幣収納部８３への紙幣繰込時には、集積台８８上に紙幣を集積収納する毎に紙幣の上面高さが高くなるため、集積台８８を順次下降させて紙幣を受け入れて集積収納する上面高さを一定の範囲内に保つようにする。また、金種別紙幣収納部８３からの紙幣繰出時には、集積台８８を上昇させて紙幣をキックローラ９５に押し付け、キックローラ９５の回転により、紙幣を１枚ずつ繰り出す。【００５４】
また、機体１４には、上部ユニット１５と下部ユニット１６との間において、機体１４に収納した下部ユニット１６の上面を閉塞状態に覆う板状の被覆部材１００が固定されている。この被覆部材１００には前端側に第１の開口部１０１および第２の開口部１０２がそれぞれ形成され、第１の開口部１０１には上部ユニット側紙幣搬送部４０の収納出金搬送路部４８の前端側と下部ユニット側紙幣搬送部８５の前端側とを接続して紙幣を搬送する第１の接続通路部１０３が配置され、第２の開口部１０２には上部ユニット側紙幣搬送部４０のリジェクト紙幣搬送路部４７とリジェクトボックス８２とを接続して紙幣を搬送する第２の接続通路部１０４がそれぞれ配置されている。【００５５】
これら第１の接続通路部１０３および第２の接続通路部１０４は、機体１４側に固定された被覆部材１００の第１の開口部１０１および第２の開口部１０２を通じて、機体１４に対してそれぞれ引出可能とした上部ユニット１５および下部ユニット１６を機体１４に収納した状態で接続されて上部ユニット１５と下部ユニット１６との間で紙幣の搬送が可能となる。さらに、第１の接続通路部１０３および第２の接続通路部１０４は、紙幣の搬送方向を正逆に反転させることができる。【００５６】
次に紙幣入出金機１１および上位端末１２，１３からなるシステムの制御体系について、図３を参照しながら説明する。本図に示すように紙幣入出金機１１は、先述したものの他、搬送ライン２０１、記憶部２０３、および制御部２０４をも有している。【００５７】
搬送ライン２０１は、先述した上部ユニット側紙幣搬送部４０や下部ユニット側紙幣搬送部８５などにより構成されている、紙幣を搬送させる経路（ライン）全体を指す。特に出金処理では、金種別紙幣収納部８３から、紙幣出金口２２またはリジェクトボックス８２に向けて紙幣を搬送させるものを表す。【００５８】
なお搬送ライン２０１は、機能的に見れば、紙幣出金口２２またはリジェクトボックス８２に、紙幣を順次移動させるための流れを生じさせる機構ともいえる。つまり、各金種別紙幣収納部８３に収納されている紙幣は、紙幣受収繰出部８４等によって、金種別収納部８３ごとに対応している搬送ライン２０１上の所定位置（搬送開始位置）に繰出される。これにより、紙幣が搬送ライン２０１の流れに乗せられることで、紙幣出金口２２またはリジェクトボックス８２に搬送される。【００５９】
記憶部２０３は、例えばフラッシュメモリのように書換え可能な記憶装置からなっており、出金指示のあった金額や、紙幣識別部５０により出金不許可と判断された金種ごとの紙幣の枚数など、種々の情報を記憶する。また制御部２０４は、紙幣入出金機１１においてなされる入金処理や出金処理などを全体的に制御する。制御にあたっては、上位端末１２，１３、紙幣識別部５０、および記憶部２０３などから取得される各種情報が用いられることになる。【００６０】
以上に示した構成の紙幣入出金機１１によれば、紙幣の入金処理（受取った紙幣を所定箇所に収納する処理）や出金処理（収納されている紙幣から、指定された金額分を取り出す処理）などを実行することが可能である。次に、紙幣入出金機１１における出金処理の内容について、図４のフローチャートを参照しながら説明する。【００６１】
紙幣入出金機１１を例えば左側のテラーが使用する場合には、左側の占有ボタン２４を操作することにより、左側のテラー側の占有モードとなる。そして金融機関のカウンターにおいて、顧客からの出金要求に応じた金額などの出金情報が、左側のテラーの上位端末１２に入力され、出金指示の操作がなされることにより、出金処理が開始される（ステップＳ１１のＹ）。このとき、どの金種の紙幣を何枚だけ紙幣出金口２２に搬送（出金）させるべきかを示す情報が、紙幣入出金機１１に入力される。【００６２】
この出金指示を受けて、紙幣入出金機１１は、この指示された分の紙幣の搬送を開始する。このとき１種類の紙幣を出金する場合には、該当する金種の金種別紙幣収納部８３のみから１枚ずつ紙幣を順に繰り出すこととする。一方、複数金種の紙幣を出金する場合には、まず搬送ライン２０１において、対応する搬送開始位置が紙幣出金口２２に最も遠い（最も搬送経路の長い）金種別紙幣収納部８３から、同様にして紙幣の搬送を開始させる（ステップＳ１２）。【００６３】
つまり本紙幣入出金機１１では、図２での右側の金種別紙幣収納部８３ほど、対応する搬送開始位置が紙幣出金口２２から遠くなっているので、出金が必要な金種のうち、右側の金種別紙幣収納部８３に収納されているものから順に、紙幣の搬送を開始させることとする。なお「搬送の開始」は、具体的には、紙幣受収繰出部８４等によって搬送ライン２０１の流れに乗せることを指す。【００６４】
なお金種別紙幣収納部８３から繰り出される紙幣は、繰出搬送路部９１および主搬送路部８９から第１の接続通路部１０３を通じて上部ユニット側紙幣搬送部４０の収納出金搬送路部４８および識別搬送路部４４に搬送される。そして紙幣識別部５０にて、出金の許否が判断されることになる。【００６５】
この出金の許否は、紙幣の真偽や正損に関する所定の判断基準によって判断される。この判断の結果、出金が許容された紙幣は、識別搬送路部４４から保留出金搬送路部４６および出金搬送路部４１を通じて紙幣出金口２２に繰り込まれて立位姿勢で集積される。一方、出金が許容されなかった紙幣は、識別搬送路部４４から保留出金搬送路部４６、リジェクト紙幣搬送路部４７から第２の接続通路部１０４を通じて下部ユニット１６のリジェクトボックス８２に繰り込まれて収納されることになる。これにより、出金不許可の紙幣については、紙幣出金口２２への搬送が完遂されないようにする処理（出金制限処理）が実現される。【００６６】
このようにして、ある金種について出金指示分の全ての紙幣搬送を開始させ終えたら、次に、対応する搬送開始位置が紙幣出金口２２からその次に遠くなっている金種別紙幣収納部８３から、対応金種に係る出金指示分の全ての紙幣についての搬送を順次開始させる（ステップＳ１４）。そして、このようにして出金指示に含まれる各金種の全てについて搬送を開始させ終えた後、（ステップＳ１３のＹ）、出金の不足分を補充するための追加搬送が必要でなければ（ステップＳ１５のＮ）、出金処理はその目的が果たされて終了する。その後、テラーによって紙幣出金口２２から出金紙幣が取り出され、顧客に受け渡されることになる。【００６７】
一方、出金の不足分を補充するための追加搬送が必要であれば（ステップＳ１５のＹ）、引き続いて、不足分を補うための紙幣搬送を実施する（ステップＳ１６）。つまり、リジェクトボックス８２に収納された分と同等の紙幣を、金種別紙幣収納部８３から紙幣出金口２２に向けて再搬送させる。再搬送後も不足分が生じた場合には再々搬送を行うようにし、出金指示分の全ての紙幣が紙幣出金口２２に到達するまで、同様の処理を繰り返す。【００６８】
ここで出金の不足分は、出金不許可の紙幣がリジェクトボックス８２に搬送された結果、その分だけ紙幣出金口２２に到達する紙幣が減少することにより生ずる。そのため、出金の不足分を補充するための追加搬送の要否ならびに追加搬送すべき枚数は、紙幣識別部５０による各紙幣に対する出金許否の判断処理について、不許可の発生数をカウントしておくこと等により判別可能である。【００６９】
上述した一連の処理により、出金指示に応じた出金が実現されることとなる。ここで当該出金処理をより理解容易とするため、出金処理の具体的な事例を挙げて、以下に説明する。なお図５に、当該事例の状況を模式的に示す。ここで、金種別紙幣収納部８３に割り当てられる金種は、以下の順以外でも構わず、任意に設定できるものとしても良い。しかし一般的には、低額金種の出金頻度が比較的高く、また複数金種の出金処理では、高額金種から順に出金することで、紙幣出金口２２における集積状態がバランス良くなるため、以下のような金種割り当てとする。【００７０】
当該事例では図５に示すように、金種別紙幣収納部８３は、紙幣出金口２２に近い方から順に、＄１、＄５、＄１０、＄２０、＄５０、および＄１００の紙幣を収納するよう設定されており、各金種別紙幣収納部８３には十分な枚数の紙幣が収納されているものとする。またこれら各金種の紙幣は、紙幣受収繰出部８４等によって、金種別紙幣収納部８３の各々に対応している搬送開始位置（図５のＰ１〜Ｐ６に示されている位置）に繰出されることで、搬送が開始される。【００７１】
そして＄１０の金種別紙幣収納部８３に１枚だけ出金の許容されない紙幣が混入している状態で、上位端末から、＄５の紙幣を３０枚、＄１０の紙幣を５０枚、および＄５０の紙幣を２０枚出金すべき旨の出金指示（ステップＳ１１）がなされた状況を想定する。この場合、＄５紙幣、＄１０紙幣、および＄５０紙幣の各々が、出金に必要な金種となる。【００７２】
かかる出金指示により紙幣入出金機１１は、対応する搬送開始位置が紙幣出金口２２に最も遠い＄５０の金種別紙幣収納部８３から、紙幣を１枚ずつ繰り出して搬送ラインに乗せることで、紙幣の搬送を開始させる（ステップＳ１２）。そして＄５０の紙幣２０枚分について搬送を開始させ終えたら、次に、対応する搬送開始位置が２番目に紙幣出金口２２から遠い＄１０の金種別紙幣収納部８３について、同様に紙幣の搬送を開始させる（ステップＳ１４）。【００７３】
このとき、２０枚目の＄５０紙幣が、＄１０に係る金種別紙幣収納部８３に対応する搬送開始位置（図５のＰ３）を通過した直後のタイミングで、＄１０紙幣の１枚目の搬送が開始される。これにより、搬送ライン２０１において、＄５０の最後の紙幣と＄１０の最初の紙幣との間隔が大きくなり過ぎることを防ぎ、搬送の空白期間を極力抑えることとしている。【００７４】
またこのように、ある金種の最後の紙幣と次金種の最初の紙幣との間隔が大きくなり過ぎないようにすることは、本実施形態のように、紙幣の搬送が、対応する搬送開始位置が紙幣出金口２２に最も遠い金種別紙幣収納部８３から順に実行されることで容易となっている。なお、仮に＄１０紙幣の搬送の後に＄５０紙幣の搬送を行うようにしていると、かかる間隔を抑えるためには、最後の＄１０紙幣の搬送開始よりも前に、最初の＄５０紙幣の搬送を開始させるといったことが必要となる。この場合、＄１０紙幣と＄５０紙幣との重なり等が生じ易く、ひいては搬送のトラブルが生じ易くなるおそれがある。【００７５】
そして５０枚目の＄１０紙幣の搬送が開始されたら、同様にして３０枚分の＄５紙幣についての搬送を１枚ずつ順に開始させる。なお＄１０紙幣の搬送中、紙幣識別部５０によって出金不許可と判断され、リジェクトボックスに搬送される紙幣が出現することになるが、この段階では、出金不許可と判断された分の追加搬送は実行されない。【００７６】
３０枚目の＄５紙幣の搬送が開始されたら、出金指示分の全ての紙幣搬送が開始されたことになる（ステップＳ１３のＹ）。その後、出金の不足分として＄１０紙幣１枚分が存在するから（ステップＳ１５のＹ）、その分の追加搬送を開始させることとする（ステップＳ１６）。そしてこの１枚分の＄１０紙幣が、出金許可と判断されて紙幣出金口２２に到達した段階で、出金処理は完了する。【００７７】
上述した本実施形態の出金処理（以下、「第１処理」と称する）によれば、例えばある金種の出金搬送中に出金不許可が発生した場合に、その不足分を追加搬送により補充した上で、他金種の搬送を開始させる出金処理（以下、「第２処理」と称する）に比べて、処理時間の短縮を図ることが可能である。この理由を説明するため、先述した事例と同等の出金処理が仮に第２処理で実行された場合の状況について、以下に説明する。【００７８】
先ず、例えば＄５０紙幣２０枚について、１枚ずつ搬送が開始される。＄５０紙幣については出金不可となる紙幣はないため、続いて＄１０紙幣５０枚についての搬送が開始されることになるが、この開始がなされるのは、＄５０紙幣の２０枚目の紙幣が紙幣識別部５０に到着して出金許可と判断された後となる。＄５０紙幣の１枚目〜１９枚目までが出金許可となっていても、最後の２０枚目の出金許可が判別されるまでは、次に＄５０紙幣の追加搬送を行うべきか、次金種である＄１０紙幣の搬送に移行するべきかが不明なためである。【００７９】
そして＄１０紙幣の搬送に移行すると、この金種の紙幣５０枚が紙幣出金口２２に到達するように、１枚ずつ搬送が開始される。ここで＄１０紙幣の搬送では、出金不許可が１枚分発生するため、結果として５１枚分の紙幣について搬送が開始されることとなる。その後、同様に＄５紙幣についても搬送が実行され、出金処理が完了する。【００８０】
このように第２処理では、ある金種についての出金許可の枚数が、出金指示で指定された枚数分だけ確保できたことが確定するまでは、次の金種の搬送が開始されない。また紙幣の出金許否の判断は、その紙幣が、搬送ラインの途中（搬送開始地点よりも下流）に位置する紙幣識別部５０に到達するまでなされない。そのため、現金種の搬送から次金種の搬送に移行する段階においては、現金種の最後の紙幣が搬送開始位置から紙幣識別部５０に搬送されるまでの間、必然的に何れの紙幣も搬送されない状態（搬送の空白期間）が生じることになる。かかる空白期間が発生すると、その分だけ紙幣の搬送は停滞するため出金処理は遅延することになる。【００８１】
一方、第１処理によれば、出金指示に基づいて、搬送が開始されるべき金種と枚数が予め分かっている（不足分の紙幣搬送については、出金指示分の搬送開始が全てなされた後で実行される）。そのため上述したように、ある金種の最後の紙幣について搬送が開始された後、この紙幣に係る出金許否の判断を待たずして、次金種の搬送を開始させることが可能である。【００８２】
このように本実施形態の出金処理では、従来処理に比べて迅速に出金を行うことが可能となっている。特に出金不許可の発生頻度が稀である場合（例えば、全く発生しないことが多いような場合）には、本実施形態の出金処理によれば、従来処理に比べて格段に迅速な処理が可能であるとともに、万一出金不許可の紙幣が検出された場合にも適切な対処が可能となっている。【００８３】
つまり第２処理によれば、「第１金種の搬送（不足分の追加搬送を含む）」→「搬送の空白期間」→「第２金種の搬送（不足分の追加搬送を含む）」→「搬送の空白期間」→・・・→「搬送の空白期間」→「最終金種の搬送（不足分の追加搬送を含む）」という流れになる一方、第１処理によれば、「第１金種の搬送」→「第２金種の搬送」→・・・→「最終金種の搬送」→「不足分の追加搬送（不足分が無い場合は省略）」という流れになるため、「搬送の空白期間」が削減される分、より迅速な出金処理が達成される。【００８４】
なお本実施形態の紙幣入出金機１１では、出金処理として上述の第１処理を実行するものとしているが、その他に、第１処理と第２処理を選択可能に実行するものとしても良い。この場合、例えばテラーが上位端末１２，１３を操作するとともに、上位端末１２，１３がこの操作状況に応じて、第１処理と第２処理の何れを実行すべきかを示す情報を紙幣入出金機１１に出力するようにしておけば良い。これにより、第１処理と第２処理の何れを実行させるかについては、テラー（ユーザ）によって自在に選択可能となる。このようにしておくことで、出金処理の流れを状況に応じて変更することができ、より汎用性の高い紙幣入出金機が実現される。【００８５】
また紙幣出金部３２においては、金種別紙幣収納部８３の各々から搬送されてくる紙幣を、金種別に収集する機構を備えるようにしても良い。このような機構の一例について、図６を参照しながら以下に説明する。【００８６】
図６に示すように紙幣出金部３２は、移動式紙幣収納器２１０を備えている。この移動式紙幣収納器２１０は、金種別紙幣収納部８３の各々に対応した紙幣の収納スペースが設けられており、それぞれの収納スペースは仕切られている。また制御部２０４の指示に応じて図６の矢印方向に移動可能となっており、これにより、搬送ライン２０１に対応する（紙幣が搬送されてくる）収納スペースを変更可能となっている。なお図６に示す状態では、（Ｂ）で示す収納スペースが搬送ライン２０１に対応している。【００８７】
このような機構によれば、複数金種の紙幣を出金させるにあたり、紙幣出金部３２に到達する紙幣の金種に応じて、移動式紙幣収納器２１０を適宜移動させるようにすれば、出金紙幣を金種別に収集することが可能となる。そのためテラーにとっては、出金された貨幣を金種別に仕分ける作業を省略することができ、出金取引の労力削減および時間短縮を図ることが可能となる。【００８８】
［実施例２］
次に実施例２について説明する。上述した紙幣入出金機（貨幣処理機）では、金種別紙幣収納部８３の各々には予め限界容量が定められており、それ以上紙幣が収納されることを未然に防ぐようにしている。このようにする具体的方法としては、例えば、ある金種の金種別紙幣収納部８３の収納状況が限界容量に達すると、一律に入金処理を受け付けないようにする方法が採用されていた。【００８９】
この方法によると、容量の限界に達した金種以外の紙幣を入金しようとした場合、この金種の紙幣については実質的には（収納部の容量としては）入金が可能であるにも関わらず、容量の限界に達した紙幣が途中収集される（人の手などによって、収納部から紙幣が取り出される）までは、入金処理が受け付けられないという問題があった。このことは、入金業務の中断を頻発させることにも繋がり、好ましいとはいえない。【００９０】
そこである金種に係る金種別紙幣収納部８３が容量の限界に達したことを検出した場合、その金種のみについて新たな入金処理を禁止するソフトウェア処理を実行させることとしても良い。例えば入金処理のために紙幣入金口２３に投入された紙幣のうち、容量の限界に達している金種については、紙幣出金口２２に搬送させる一方、それ以外の金種については、金種別紙幣収納部８３もしくは入金紙幣一時保留部３５に搬送させるようにする。【００９１】
このようにすることで、全金種の収納部が容量の限界となるまでは入金を行うことが可能となる。また、収納部が容量の限界となったことで紙幣出金口２２に搬送された紙幣を、テラーが手で数えて紙幣入出金機（貨幣処理機）とは別の場所で管理しておくことで通常通りの業務を行うことができる。【００９２】
［実施例３］
次に実施例３について説明する。上述した金種別紙幣収納部８３や入金紙幣一時保留部３５においては、一旦収納された紙幣を外部に繰り出すための機構（繰出し機構）が設けられている。ここで従来における繰出し機構の具体的な動作内容について、以下に説明する。【００９３】
この繰出し機構は、繰出ローラ（フィードローラとそれに連結されたキックローラ）の１回転で、１枚の紙幣を繰り出す構造となっている。紙幣は紙幣平面サイズより若干大きな集積スペースに、規則性を持たずに重ねて収納されている。特に紙幣短手方向に寸法差がある紙幣を取り扱う装置では、ユニットの標準化を図るため、紙幣に対して集積スペースが従来機種より広い状態で運用せざるを得ない場合がある。【００９４】
１枚目の紙幣は、集積スペースの遊び寸法に加えて、集積スペース端面から分離ローラ噛み込み点までの寸法（これらを合わせて「空間移動分」とする）を移動して、分離ローラに到達する。ｎ枚目以降は、ｎ−１枚目との紙幣間摩擦によって、概ね分離ローラまで引き寄せられているため、空間移動分が極めて少なくなっている。またキックローラのゴム部分は、１枚目の紙幣から有効キックゴム長さ全部が紙幣に接触できるよう、予め紙幣集積面に対して反対側（裏側）に待機している。【００９５】
１枚目の紙幣は、２枚目以降の紙幣に対して空間移動分だけ移動量が多いため、１枚目の紙幣と２枚目の紙幣の間隔が狭くなり、連鎖繰り出しを引き起こす可能性がある。そこで１枚目繰り出し検知後、繰り出しモータを一定時間停止させることにより、２枚目との間隔を広げている。なおこのような従来の繰出し機構における動作の流れを、図７に示す。【００９６】
なお図７の（３）では、１枚目と２枚目の間隔制御のため、繰出モータはスローダウンした後に停止している。ここでスローダウン時には、高速搬送ローラの噛込点に紙幣先端の一方がグリップすることがあり、分離ローラの噛込点を支点にして紙幣が回転し斜行することがある。また図７の（４）では、キックゴムが無い部分でも、フィードローラ横に配置された低速ローラが紙幣をグリップして、進行方向へ送り出すことになる。このとき、紙幣の斜行は更に助長される。【００９７】
しかしこのような繰出し機構では、１枚目の紙幣とｎ枚目の紙幣では、同じキックゴムで紙幣を前進させるところ、１枚目の紙幣は空間移動分だけ相対的な送り量が少なくなってしまい、繰出ローラ１回転で１枚目が完全に繰出しできず、２回転目で繰出されることがある。【００９８】
このように１回転で紙幣が完全に繰出されない場合、分離ローラ付近で滞留した紙幣先端の一部が高速搬送ローラに噛み込むと、噛み込んだ方が引き抜かれて先行しようとし、噛み込んでいない方は分離ローラによって止められようとする。そのため紙幣は大きく斜行し、２回転目で斜行状態のまま繰出されることになる。【００９９】
このような問題は、１枚目の紙幣を繰出す際に、分離ローラまでの空間移動分が存在することに原因がある。そこで１回転目で、１枚目の紙幣を空間移動分だけ確実に進めるため、紙幣を蹴り出す有効キックゴム長さの一部分を使って空振りさせることで、１枚目紙幣の位置を制御するものとすれば良い。このようにした繰出し機構における動作の流れを、図８に示す。【０１００】
なお図８の（２）では、キックローラの有効キックゴム長さは、ゴム全体の半分しかないため、キックローラにより蹴られた１枚目の紙幣は分離ローラ噛込点で停止する。また図８の（３）では、低速ローラの噛込点まで紙幣は達しないため、紙幣は停止したままとなる。【０１０１】
このようにして繰出しローラの１回転目で１枚目の紙幣を空間移動分だけ確実に進めることで、２枚目以降と同じ状態となるよう紙幣位置が制御され、安定した繰出し状態となる。そのため繰出し部での過大斜行の発生頻度が減少し、ジャムの発生による処理休止の低減を図ることが可能となる。また１枚目の紙幣が安定して繰出されるため、軽度の斜行が減少することも期待でき、紙幣の通過率向上により装置内紙幣の有効活用を図ることが可能となる。【０１０２】
なおかかる繰出し機構は、紙幣入出金機に限らず、収納庫から集積された紙葉類（紙幣、証書、投票用紙、カード等）を繰出させるための機構について、一般的に適用可能である。またプリンターなど、紙に対して平行に印字させたい場合に、あえて空振りさせて紙の先端位置を合わせ、かつ先端合わせとすることにより斜行補正がし易くなる。これにより印刷精度の向上が期待できる。
【産業上の利用可能性】
【０１０３】
本発明は、金融機関で使用される貨幣処理機などの分野において利用可能である。
【図１】
2008152685.tif 000003
【図２】
2008152685.tif 000004
【図３】
2008152685.tif 000005
【図４】
2008152685.tif 000006
【図５】
2008152685.tif 000007
【図６】
2008152685.tif 000008
【図７】
2008152685.tif 000009
【図８】
2008152685.tif 000010
【手続補正書】
【提出日】平成21年12月10日(2009.12.10)
【手続補正１】
【補正対象書類名】図面
【補正対象項目名】図４
【補正方法】変更
【補正の内容】
【図４】
2008152685.tif 000011
【国際調査報告】
2008152685.tif 000012
2008152685.tif 000013